(57)【要約】【課題】保守点検の頻度を低減させることができる乗客コンベアの物体侵入防止装置を得る。【解決手段】乗客コンベアの物体侵入防止装置は、スカートガード１に設けられたホルダ２と、このホルダ２に上下方向に延びて設けられたピン３と、このピン３が貫通してホルダ２に対して回転自在に設けられ、踏段５より上方であって径方向に延びたブラシ４ｆを有するブラシ付きローラ４とを備え、ブラシ付きローラ４は、少なくとも一部が上方から視たときに、踏段５に重なっている。【選択図】図３
2011251848.tif 000002
【特許請求の範囲】
【請求項１】
スカートガードに設けられた基部と、
この基部に上下方向に延びて設けられた回転軸と、
この回転軸が貫通して前記基部に対して回転自在に設けられ、踏段より上方であって径方向に延びたブラシを有するブラシ付きローラとを備え、
前記ブラシ付きローラは、少なくとも一部が上方から視たときに、前記踏段に重なっていることを特徴とする乗客コンベアの物体侵入防止装置。
【請求項２】
前記回転軸は、前記基部に対して着脱可能であることを特徴とする請求項１に記載の乗客コンベアの物体侵入防止装置。
【請求項３】
前記ブラシ付きローラは、前記踏段の移動方向に沿って複数設けられていることを特徴とする請求項１または請求項２に記載の乗客コンベアの物体侵入防止装置。
【請求項４】
複数の前記ブラシ付きローラは、同一の前記基部に設けられていることを特徴とする請求項３に記載の乗客コンベアの物体侵入防止装置。
【発明の詳細な説明】
【技術分野】
【０００１】
この発明は、スカートガードと踏段との間に物体が侵入することを防止する乗客コンベアの物体侵入防止装置に関する。
【背景技術】
【０００２】
従来、スカートガードに取り付けられ、スカートガードの長手方向に沿って延びた基部と、この基部に取り付けられ、先端部が踏段側に突出したブラシとを備え、スカートガードと踏段との間に、乗客の靴等の物体が侵入することを防止するエスカレータの物体侵入防止装置が知られている（例えば、特許文献１参照）。
【先行技術文献】
【特許文献】
【０００３】
【特許文献１】特開２００４−１８２６８号公報
【発明の概要】
【発明が解決しようとする課題】
【０００４】
しかしながら、このものの場合、繰り返してブラシと物体とが接触した場合に、物体とブラシとが擦れ合うことにより、特に乗り場先端側のブラシに変形または磨耗が頻繁に発生し、物体侵入防止装置を頻繁に保守点検しなければならないという問題点があった。
【０００５】
この発明は、上述のような問題点を解決することを課題とするものであって、その目的は、保守点検の頻度を低減させることができる乗客コンベアの物体侵入防止装置を提供するものである。
【課題を解決するための手段】
【０００６】
この発明に係る乗客コンベアの物体侵入防止装置は、スカートガードに設けられた基部と、この基部に上下方向に延びて設けられた回転軸と、この回転軸が貫通して前記基部に対して回転自在に設けられ、踏段より上方であって径方向に延びたブラシを有するブラシ付きローラとを備え、前記ブラシ付きローラは、少なくとも一部が上方から視たときに、前記踏段に重なっている。
【発明の効果】
【０００７】
この発明に係る乗客コンベアの物体侵入防止装置によれば、繰り返してブラシ付きローラが乗客の靴等の物体に接触した場合であっても、ブラシ付きローラが物体に転動するので、ブラシと物体との擦れ合い、衝撃が緩和され、ブラシの変形または磨耗が抑制され、保守点検の頻度を低減させることができる。
【図面の簡単な説明】
【０００８】
【図１】この発明の実施の形態１に係るエスカレータの物体侵入防止装置が設置されたエスカレータを示す全体側面図である。
【図２】図１のＡ部を示す拡大図である。
【図３】図２のＩＩＩ−ＩＩＩ線に沿った矢視断面図である
【図４】図２のＩＶ−ＩＶ線に沿った矢視断面図である。
【図５】図１のエスカレータの物体侵入防止装置の要部を示す分解斜視図である。
【図６】図５のブラシ付きローラの断面図である。
【図７】図５のホルダを示す要部断面図である。
【図８】図３のエスカレータの物体侵入防止装置を示す要部斜視図である。
【図９】図９（ａ）はブラシ付きローラの変形例を示す断面図、図９（ｂ）は図９（ａ）の要部を示す説明図である。
【発明を実施するための形態】
【０００９】
実施の形態１．
図１はこの実施の形態に係る乗客コンベアであるエスカレータの物体侵入防止装置が設置されたエスカレータを示す全体側面図、図２は図１のＡ部を示す拡大図、図３は図２のＩＩＩ−ＩＩＩ線に沿った矢視断面図、図４は図２のＩＶ−ＩＶ線に沿った矢視断面図である。
この実施の形態に係るエスカレータの物体侵入防止装置は、スカートガード１に取付けられた、断面コ字形状の基部であるホルダ２と、このホルダ２に上下方向に延びて設けられた回転軸であるピン３と、このピン３が貫通してホルダ２に対して回転自在に設けられ、踏段５より上方であって径方向に延びたブラシを有するブラシ付きローラ４とを備えている。
スカートガード１は、踏段５の側面に対向した状態で、インナーデッキ６の下端部に取り付けられている。
このスカートガード１は、踏段５の側面との間に、僅かな隙間Ｃを空けて配置されており、踏段５は、スカートガード１と擦れ合わずに循環移動することができる。
ホルダ２は、踏段５より上方で、踏段５の移動方向に沿って延びており、このホルダ２には、複数のブラシ付きローラ４が、踏段５の移動方向に沿って取付けられている。
隣接したブラシ付きローラ４間の距離Ｄは、例えば１５ｃｍである。
なお、隣接したブラシ付きローラ４間の距離Ｄは、１５ｃｍに限らないが、子供用の靴の長さより短い寸法にするのが望ましい。
【００１０】
複数のブラシ付きローラ４は、同一のホルダ２に取り付けられている。
各ピン３は、軸線方向が、踏段５の移動方向に垂直であって、スカートガード１に平行な方向、つまり、スカートガード１の短手方向に延びて配置されている。
なお、ピン３の軸線方向は、スカートガード１の短手方向に限らず、上下方向に延びていればよい。
【００１１】
ホルダ２は、スカートガード１に面接触した垂直部９と、この垂直部９の上端部に一体に形成され、踏段５側に水平方向に突出した上部水平部１０と、垂直部９の下端部に一体に形成され、踏段５側に水平方向に突出した下部水平部１１とを有している。
ホルダ２の垂直部９は、間隔を空けて設けられた複数のねじ１２を介して、スカートガード１に固定されている。
ブラシ付きローラ４は、上方から視たときに、一部が踏段５と重なるように配置されている。
また、ブラシ付きローラ４は、循環移動する踏段５と衝突しないように、踏段５より上方に配置されている。
【００１２】
図５は図１のエスカレータの物体侵入防止装置の要部を示す分解斜視図、図６は図５のブラシ付きローラ４を示す断面図、図７は図５のホルダ２の要部を示す断面図、図８は図５のエスカレータの物体侵入防止装置の要部を示す斜視図である。
ホルダ２の上部水平部１０には、上方から下方に向かって直径が小さいテーパ形状の貫通孔１０ａが形成されている。
ホルダ２の下部水平部１１には、上部水平部１０の貫通孔１０ａと同軸上に貫通孔１１ａが形成されている。
この下部水平部１１の貫通孔１１ａの直径は、上部水平部１０の貫通孔１０ａの下端部の直径とほぼ同一になっている。
【００１３】
ピン３は、下部水平部１１の貫通孔１１ａより少し小さい直径に形成された円筒形状の胴部３ａと、この胴部３ａの上端部に、上方に向かうにつれて直径が大きくなるように形成された頭部３ｂとを有している。
胴部３ａの下端部には、周方向に沿って溝３ｃが形成されている。
頭部３ｂは、外周面が、上部水平部１０の貫通孔１０ａの内周面と面接触するように形成されており、ピン３は、頭部３ｂの外周面が上部水平部１０の貫通孔１０ａの内周面に面接触しながら、円滑に回転することができるようになっている。
【００１４】
ブラシ付きローラ４は、中心部にピン３の胴部３ａより少し小さい直径の貫通孔４ａが形成されており、ブラシ４ｆを上下の二方向から挟んだ金属板４ｂと、一対の金属板４ｂを固定した複数のリベット４ｃとを備えている。ブラシ４ｆは、耐摩耗性あり、しかも柔軟性を有するものが選択される。
従って、ブラシ付きピン３を貫通孔４ａに圧入することで、ピン３とブラシ付きローラ４とは一体化される。
なお、ブラシ付きローラ４の貫通孔４ａは、ピン３の胴部３ａより大きい直径であってもよい。この場合、ピン３がブラシ付きローラ４に挿入されても、ピン３はブラシ付きローラ４に固定されず、ピン３に対してブラシ付きローラ４が回転自在となる。
ピン３は、上部水平部１０の貫通孔１０ａ、ブラシ付きローラ４の貫通孔４ａ及び下部水平部１１の貫通孔１１ａの順で挿入されており、ピン３の下端部が下部水平部１１の下方から突出している。
溝３ｃは、下部水平部１１から突出したピン３の領域に形成されており、Ｃ字形状の止め輪１３が溝３ｃに嵌合されて、ピン３がホルダ２から外れるのが防止されている。
なお、止め輪１３がない場合であっても、ピン３とブラシ付きローラ４とが一体化されているので、ピン３がホルダ２から外れることが抑制される。
【００１５】
次に、この実施の形態に係るエスカレータの物体侵入防止装置のホルダ２へのブラシ付きローラ４の着脱手順について説明する。
ブラシ付きローラ４をホルダ２へ取り付ける場合には、ホルダ２の上部水平部１０の貫通孔１０ａと、ブラシ付きローラ４の貫通孔４ａとが同軸上に配置されるように、ブラシ付きローラ４を上部水平部１０と下部水平部１１との間に移動させる。
この後、ピン３を上方から、上部水平部１０の貫通孔１０ａ、ブラシブラシ付きローラ４の貫通孔４ａ及び下部水平部１１の貫通孔１１ａに挿入した後、ピン３の下端部の溝３ｃに止め輪１３を嵌合させる。
一方、ブラシ付きローラ４をホルダ２へ取り付ける手順と逆の手順で、ホルダ２からブラシ付きローラ４を簡単に取り外すことができ、ブラシブラシ付きローラ４の交換を迅速に行うことができる。
【００１６】
次に、この実施の形態に係るエスカレータの物体侵入防止装置の作用、効果について説明する。
踏段５に乗客が乗り込み、物体である乗客の靴１４がスカートガード１に近づいた場合、乗客の靴１４がブラシ付きローラ４のブラシ４ｆに当接するので、乗客の靴１４がスカートガード１と踏段５との間に挟みこまれることが防止される。
また、乗客の靴１４と当接したブラシ付きローラ４は、ピン３がホルダ２に対して円滑に回転可能となっているので、ブラシ付きローラ４は、ピン３とともにホルダ２に支持された状態で回転して、ブラシ４ｆは乗客の靴１４に転動する。
これにより、乗客の靴１４とブラシ４ｆとが擦れ合うことが抑制されるので、ブラシ４ｆの変形または磨耗の発生が抑制される結果、エスカレータの物体侵入防止装置の保守点検の頻度を低減させることができる。
また、ブラシ４ｆは回転できるので、乗客の靴１４に対するブラシ４ｆの衝撃は緩衝され、ブラシ４ｆによる靴１４の表面の傷の発生を抑制することができる。
【００１７】
以上説明したように、この実施の形態に係るエスカレータの物体侵入防止装置によれば、ブラシ付きローラ４は、乗客の靴１４に接触とともに回転し、しかもブラシ４ｆの柔軟性により乗客の靴１４との擦れあう作用力が抑制され、ブラシ４ｆの磨耗の発生が抑制されて、保守点検の頻度を低減させることできる。
また、ブラシ付きローラ４は、上方から視たときに、一部が踏段５と重なるように配置されているので、乗客の靴１４がスカートガード１と踏段５との間に挟まれることを防止することができ、また、例えば、乗客の持ち物、または、タバコの火種等が、スカートガード１と踏段５との間に入り込むことを抑制することができる。
【００１８】
また、ピン３は、ホルダ２に対して着脱可能であるので、簡単にブラシ付きローラ４をホルダ２から着脱することができる。
【００１９】
また、ブラシ付きローラ４は、踏段５の移動方向に沿って複数設けられているので、乗客の靴１４がスカートガード１と踏段５との間に挟まれることを防止する領域を、踏段５の移動方向に沿った広い領域まで及ぼすことができる。
【００２０】
また、複数のブラシ付きローラ４が同一のホルダ２に取り付けられているので、ホルダ２を介して複数のブラシ付きローラ４を同時にスカートガード１へ着脱することができ、ブラシ付きローラ４のスカートガード１に対する着脱作業性が向上する。
【００２１】
なお、ブラシ付きローラ４は、一対の金属板４ｂ及びリベット４ｃの代りに、図９（ａ），（ｂ）に示すように、中心部にピン３が挿脱する貫通孔４ａを有する樹脂製のローラ本体４ｄを用いてもよい。この場合、円柱形状のローラ本体４ｄの周面に複数の植え込み穴４ｅを形成し、この各植え込み穴４ｅに各ブラシ４ｆの根元部を溶着することで、ローラ本体４ｄとブラシ４ｆとは一体化される。
【００２２】
なお、この実施の形態では、乗客コンベアとして、エスカレータを例に説明したが、動く歩道であってもよい。
【００２３】
また、この実施の形態では、ピン３がホルダ２の上方から着脱可能なエスカレータの物体侵入防止装置について説明したが、ピン３がホルダ２の下方から着脱可能なエスカレータの物体侵入防止装置であってもよい。
【００２４】
また、この実施の形態では、ブラシ付きローラ４に当接する物体として、乗客の靴１４を例に説明したが、勿論このものに限らず、例えば、乗客の衣服等、その他の物体であってもよい。
【符号の説明】
【００２５】
１  スカートガード、２  ホルダ（基部）、３  ピン（回転軸）、３ａ  胴部、３ｂ  頭部、３ｃ  溝、４  ブラシ付きローラ、４ａ  貫通孔、４ｂ  金属板、４ｃ  リベット、４ｄ  ローラ本体、４ｅ  植え込み穴、４ｆ  ブラシ、５  踏段、６  インナーデッキ、９  垂直部、１０  上部水平部、１０ａ  貫通孔、１１  下部水平部、１１ａ  貫通孔、１２  ねじ、１３  止め輪、１４  乗客の靴（物体）、Ｃ  隙間、Ｄ  距離。
【図１】
2011251848.tif 000003
【図２】
2011251848.tif 000004
【図３】
2011251848.tif 000005
【図４】
2011251848.tif 000006
【図５】
2011251848.tif 000007
【図６】
2011251848.tif 000008
【図７】
2011251848.tif 000009
【図８】
2011251848.tif 000010
【図９】
2011251848.tif 000011